(57)【要約】【課題】本発明は陸上飼育装置において給餌時における魚の衝突死やスレを防ぐことができる給餌方法を提供することを目的とする。【解決手段】陸上に設けた飼育水槽内で飼育している魚に給餌する方法であって、飼育水槽の上方から飼育水槽内の飼育水の水面に満遍なく餌を落下させることを特徴とする給餌方法。図に示したものでは飼育水槽１の上方に複数個の篩機２１を配置し、この篩機２１から餌１０を飼育水槽１の水面に満遍なく落下させている。【選択図】図１
2017175993.tif 000002
【特許請求の範囲】
【請求項１】
陸上に設けた飼育水槽内で飼育している魚に給餌する方法であって、
飼育水槽の上方から飼育水槽内の飼育水の水面に満遍なく餌を落下させる
ことを特徴とする給餌方法。
【請求項２】
飼育水槽の上方に複数個の篩機を配置し、前記篩機から餌を飼育水槽に落下させることを特徴とする請求項１に記載の給餌方法。
【請求項３】
前記篩機が飼育水槽の上方に複数個配置されていることを特徴とする請求項２に記載の給餌方法。
【請求項４】
前記複数の篩機から餌を一斉に飼育水槽に落下させることを特徴とする請求項３に記載の給餌方法。
【請求項５】
飼育水槽の周方向に間隔をおいて配置された複数個の給餌ノズルから、餌を水に餌を分散させた餌分散液を飼育水槽に吐出することを特徴とする請求項１に記載の給餌方法。
【請求項６】
飼育水槽の中央部の上方に旋回式の給餌ノズルを設けて、前記旋回式の給餌ノズルから、餌を水に餌を分散させた餌分散液を飼育水槽に吐出することを特徴とする請求項１に記載の給餌方法。
【請求項７】
前記飼育水槽が円筒状であり、該円筒状の飼育水槽内に円周方向に流れる水流を形成することを特徴とする請求項１〜６のいずれかに記載の給餌方法。
【請求項８】
前記水流が、前記飼育水槽の内壁側に給水管を配置し、前記給水管の吐出口から前記内壁面の切線方向に飼育水を吐出することにより形成されることを特徴とする請求項７に記載の給餌方法。
【発明の詳細な説明】
【技術分野】
【０００１】
本発明は陸上飼育水槽における魚の給餌方法に関する。
【背景技術】
【０００２】
陸上飼育による水産魚の育成においては、飼育水槽の壁面に魚が衝突して斃死するケースが多い。特に泳ぎのコントロールが出来ない稚魚などは衝突により、骨折等により斃死するケースが多い。これは、音や光などの外部刺激が原因で魚が驚愕行動や異常行動を起こすためであると考えられる。特にクロマグロなどの回遊魚は外部刺激等に敏感である。このため、陸上の飼育施設で魚に不要なストレスを与えることなく飼育するための種々の工夫がなされている。
【０００３】
例えば、特許文献１には、マグロの飼育水槽において起こる共食い、驚愕行動、衝突死等の異常行動の原因の一つが視覚刺激にあることに着目し、（ａ）光の一部が透過し、かつ、斜め方向にも光の一部が反射する視覚刺激緩衝材を水槽壁面および底面に設置した水槽を使用すること、（ｂ）水槽の飼育水中に有色微粒子を入れること、および（ｃ）水槽壁面、底面、イケス網面または障害物表面に光反射板を配することのうちの少なくとも１つの手段を用いて視覚刺激を制御して、マグロを飼育、保管または輸送することによってマグロの驚愕行動または衝突死を防止することが記載されている。
【０００４】
特許文献２には、マグロの驚愕行動、衝突死の原因の一つが明暗周期、照度にあること着目し、照度を１５０ｌｘ以上に保った環境下でマグロを飼育、保管または輸送することによってマグロの驚愕行動または衝突死を防止することが記載されている。
【０００５】
特許文献３には、マグロの未成魚が遊泳する遊泳槽の水面を、少なくとも１０ｌｘ以上の照度に保つとともに、同照度が１０ｌｘ以上かつ１０００ｌｘ未満の範囲内において前記遊泳槽に直射日光や直射日光に基づく影が当たらないように前記遊泳槽を設置して同遊泳槽の水面を略均一な照度に保つことによってマグロの未成魚に不安感を与えないようにすることが記載されている。
また、同じく特許文献３にはマグロの未成魚に対する給餌時に、遊泳槽の水面を少なくとも１００ｌｘ以上の照度に保つことにより、マグロの未成魚の摂食量を増加させてマグロの未成魚を早期に成長させるとともに長期間に亘って生存させることが記載されている。
【先行技術文献】
【特許文献】
【０００６】
【特許文献１】特許第４０３６３８１号公報
【特許文献２】特許第４０８１０９２号公報
【特許文献３】特許第５２５３３１４号公報
【発明の概要】
【発明が解決しようとする課題】
【０００７】
しかしながら、従来、給餌方法が魚の生残率に与える影響については検討がなされていなかった。魚に給餌をする際は魚が餌を取る為に遊泳スピードを上げるが、その際に突進速度で泳いて他の魚と衝突し、結果として斃死するケースが多い。また、斃死の原因は衝突死の他、スレによるものもある。
本発明は、給餌時における魚の衝突死やスレを防ぐ給餌方法を提供することを目的とする。
【課題を解決するための手段】
【０００８】
本発明者等は飼育水槽の上方から篩機やノズルを利用して、餌を水槽の水面に満遍なく落下させるようにすることによって、給餌時における魚の衝突死やスレを防ぐことができることを見出して本発明を完成した。
すなわち、本発明は以下に記載する通りの給餌方法に係るものである。
【０００９】
（１）陸上に設けた飼育水槽内で飼育している魚に給餌する方法であって、
飼育水槽の上方から飼育水槽内の飼育水の水面に満遍なく餌を落下させる
ことを特徴とする給餌方法。
（２）飼育水槽の上方に複数個の篩機を配置し、前記篩機から餌を飼育水槽に落下させることを特徴とする上記（１）に記載の給餌方法。
（３）前記篩機が飼育水槽の上方に複数個配置されていることを特徴とする上記（２）に記載の給餌方法。
（４）前記複数の篩機から餌を一斉に飼育水槽に落下させることを特徴とする上記（３）に記載の給餌方法。
（５）飼育水槽の周方向に間隔をおいて配置された複数個の給餌ノズルから、餌を水に餌を分散させた餌分散液を飼育水槽に吐出することを特徴とする上記（１）に記載の給餌方法。
（６）飼育水槽の中央部の上方に旋回式の給餌ノズルを設けて、前記旋回式の給餌ノズルから、餌を水に餌を分散させた餌分散液を飼育水槽に吐出することを特徴とする上記（１）に記載の給餌方法。
（７）前記飼育水槽が円筒状であり、該円筒状の飼育水槽内に円周方向に流れる水流を形成することを特徴とする上記（１）〜（６）のいずれかに記載の給餌方法。
（８）前記水流が、前記飼育水槽の内壁側に給水管を配置し、前記給水管の吐出口から前記内壁面の切線方向に飼育水を吐出することにより形成されることを特徴とする上記（７）に記載の給餌方法。
【発明の効果】
【００１０】
本発明の給餌方法により、給餌時における魚の衝突死やスレを防ぐことができる。
【図面の簡単な説明】
【００１１】
【図１】本発明の実施形態１に係る飼育装置の例を側面から見た概略図である。
【図２】図１に記載の飼育装置を上面から見た概略図である。
【図３】本発明の実施形態２に係る飼育装置の例を側面から見た概略図である。
【図４】図３に記載の飼育装置を上面から見た概略図である。
【図５】本発明の実施形態３に係る飼育装置の例を側面から見た概略図である。
【図６】図５に記載の飼育装置を上面から見た概略図である。
【図７】本発明の実施形態における給水管の構造例を示す図である。
【発明を実施するための形態】
【００１２】
従来、陸上飼育水槽において魚に給餌する際には、人の手によって又は自動給餌機によって水槽内へ餌を供給しているが、その際、特定の場所（１ヶ所）から給餌することが多い。このため、魚の回遊状況が乱れ、衝突することが多くなる。
【００１３】
そこで、本発明においては、飼育水槽の上方から篩機やノズルを利用して、餌を水槽の水面に満遍なく落下させるようにした。このように飼育水槽の水面に満遍なく餌を落下させる給餌方法によって魚の衝突死を防止することができ、生残率を向上することができる。
【００１４】
以下に、本発明の実施形態に係る陸上飼育装置における給餌方法の例を、図面を用いて詳細に説明する。
なお、以下の実施形態を説明する図では、飼育水槽を円筒状とし、飼育水槽内に円周方向に流れる水流を形成したものを示したが、餌を水槽の水面に満遍なく落下させるようにしさえすれば、飼育水槽を円筒状として水流を形成しなくても魚の衝突死を防止することができることは明らかである。
【００１５】
（実施形態１）
図１は本発明の実施形態１に係る魚の陸上飼育装置の一例を側面から見た概略図であり、図２は同陸上飼育装置を上面から見た概略図である。
本実施形態では、飼育水槽の上方に篩機２１を配置する。この篩機２１は餌を飼育水槽の水面に落下させるためのものであり、モータ２２によって振動される。図２に示したものでは、篩機２１を６個配置して水面に満遍なく餌を散布することができるようにしている。
【００１６】
篩機２１には予め餌を入れておき給餌時間になったときに、篩機２１に振動を与えて餌を落下させるようにしてもよい。また、篩機２１の底面にシャッターを設けて給餌時間になった時に、シャッターを開放すると共に、篩機２１に振動を与えて餌を落下させるようにしても良い。
更に、篩機２１の上方にコンベアを設けて給餌時間になったときに、各篩機２１に餌を搬送して篩機２１に振動を与えて餌を落下させるようにしても良い。
また、複数の篩機２１から同時に餌を落下させることが好ましい。
【００１７】
篩機２１を通して餌を落下させるため、落下した餌は水面に満遍なく散布される。このため、魚は餌を摂るために一箇所に集中することがなく、魚同士の衝突やスレを防ぐことができる。
【００１８】
（実施形態２）
本発明の実施形態２を図３及び図４に基づいて説明する。
図３は本発明の実施形態２に係る魚の陸上飼育装置の一例を側面から見た概略図であり、図４は同陸上飼育装置を上面から見た概略図である。
【００１９】
本実施形態では、飼育水槽１の上方に周方向に複数の給餌ノズル２６を所定間隔で配置すると共に、飼育水槽１の外部に給餌用水槽２３を設ける。そして、この給餌用水槽２３内に飼育水に餌１０を分散させた餌分散液２８を収容し、この餌分散液２８をポンプ２４によって配管２５を通して給餌ノズル２６に供給し、餌分散液２８を飼育水槽１に吐出するようにしている。
【００２０】
この給餌ノズル２６は固定式のものであり、餌分散液２８を吐出口から吐出して飼育水槽１の水面に散布する。餌分散液２８は餌が飼育水に分散した状態で供給されるため魚が餌を摂取しやすい。また、複数の給餌ノズル２６から同時に餌分散液を吐出することが好ましい。
給餌ノズル２６としては、例えば高炉への微粉炭供給ノズルのような詰まりのないタイプのものを用いる。
【００２１】
（実施形態３）
本発明の実施形態３を図５及び図６に基づいて説明する。
図５は本発明の実施形態３に係る魚の陸上飼育装置の一例を側面から見た概略図であり、図６は同陸上飼育装置を上面から見た概略図である。
【００２２】
本実施形態では、飼育水槽１の中央部の上方に一つの給餌ノズル２７を配置すると共に、飼育水槽１の外に給餌用水槽２３を設けて、この給餌用水槽２３内に飼育水に餌１０を分散させた餌分散液２８を収容し、この餌分散液２８を配管２５によって給餌ノズル２７に供給するようにしている。
【００２３】
この給餌ノズル２７は旋回式のものであり、旋回しながら餌分散液２８を吐出口から吐出して飼育水槽１の水面に散布する。
また、給餌ノズル２７の旋回速度を高めて餌分散液２８を吐出することが好ましい。
本実施形態は、実施形態２と同様に、餌分散液２８は餌が飼育水に分散した状態で供給されるため魚が餌を摂取しやすい。また、給餌ノズル２７としては、例えば高炉への微粉炭供給ノズルのような詰まりのないタイプのものを用いる。
【００２４】
また、上記実施形態に示した篩機や給餌ノズルによって餌を水面に満遍なく散布することに加えて、飼育水槽を円筒状とし、この円筒状の飼育水槽内に円周方向に流れる水流を形成した場合には、餌が水流に乗って浮遊するため、餌が短時間で水底に落下することがなく魚が十分に餌を摂取することができる。
前記水流は、新たに取水して飼育水槽に供給される流入水又は循環する水（以下では前記流入水及び循環水を合わせて飼育水という）を飼育水給水管の吐出口から飼育水槽の内壁面の接線方向、すなわち内壁面に沿って吐出させることによって起こすことができる。
【００２５】
次に飼育水槽を円筒状とした場合に、飼育水槽内に水流を形成する方法について図１及び図７に基づいて説明する。
図１及び図２に示した陸上飼育装置は、円筒状の飼育水槽１と、飼育水槽１に飼育水を供給する給水管２と、飼育水槽１から飼育水を抜き出すための排水口４とを備えている。
【００２６】
飼育水槽１には給水管２により、新たに取水した流入水及び浄化した循環水が給水される。以下では前記流入水及び循環水を併せて飼育水という。
図１、図２に示したものにおいては、４本の給水管のそれぞれが飼育水槽１に配置されて飼育水を飼育水槽１内に注入する。
【００２７】
前記給水管２は、前記水槽１の壁面付近に、壁面に対して平行に上下方向に配置される。給水管２には飼育水を吐出するための吐出口３が複数個設けられている。給水管２における吐出口３の数、開口位置及び口径は水流解析等で適宜に設定することができる。吐出口３の数及び口径はその合計面積が配管断面と同等又はそれ以上であることが好ましい。
【００２８】
図７に給水管２の例を示す。
図７（ａ）に示したものは、給水管２の長さ方向に均等に吐出口３を設けた例であり、給水管２の長さＬ１の間に等距離で吐出口３が設けられている。
また、図７（ｂ）に示したものは、給水管２の強い水流を必要とする水槽の深さに対応する長さＬ２の間に吐出口３を多く設けたものである。
【００２９】
飼育水槽１内に水流を起こすにあたっては、飼育水を給水管２の吐出口３から飼育水槽の内壁面の接線方向、すなわち内壁面に沿って吐出させる。
これにより、図２において矢印ａで示すように飼育水槽１の壁面付近に強い流速（速い水流）Ｆｓを生じさせる。
飼育水を吐出する給水管２の根元はユニオンやフランジを設けることによって設置角度を自由に調整できることが好ましい。
【００３０】
水流Ｆｓが発生すると、これに伴って飼育水槽の中央部にも弱い流速（遅い水流）Ｆｗが生じる（図２参照）。このようにして水面及び水中において円周方向の水流が生じる。  なお、図２において水流Ｆを示す矢印の大きさは水流の速度の大きさを示している。
水流の方向は水流解析結果等に応じて適宜設定することができる。
【００３１】
図１、２に示したものでは給水管２を垂直方向に設置しているが、垂直方向に対して角度を付けて配置しても良い。適正な角度も水流解析を行って適宜設定することが好ましい。
水流Ｆｓを起こすために給水管２は２本以上を水槽内に設ける。図２に示したものでは給水管４本を内周面に沿って等間隔になるように配置している。水流解析状況によって給水管の本数を決め、均等水流を起こすことが好ましい。
【００３２】
水流の速度は飼育水槽１内の魚の成長に合わせて変化させることができるようにすることが好ましい。水流の速度を変化させるには、ポンプ流量を変化させたり、飼育水槽内に入れる配管の分岐する各配管にバルブを設けることにより、各配管の水量を調節できるようにすればよい。そのバルブは手動であっても、電動弁であっても良い。
流量計を設ける場合は、電動弁で自動化ができるようにすることが好ましい。
また、餌やりなど魚が興奮したり、水質が悪くなったりした時などに、必要に応じて、タイマーや操作盤などによって水流を強く調整することができるようにすることが好ましい。
【００３３】
上記のように水流の発生に飼育水を利用することにより、従来の設備において配管を延ばす程度の作業で済み、従来のシステム以外に設備を増やす必要がないため、コスト的に有利である。
また、水槽底に溜まる残餌などが排水口に向かって集まるように水流を起こすとそれらの回収が容易となるので、水質管理上有利である。
【符号の説明】
【００３４】
１  飼育水槽
２  給水管
３  吐出口
４  排水口
１０  餌
２１  篩機
２２  モータ
２３  給餌用水槽
２４  ポンプ
２５  配管
２６、２７  給餌ノズル
２８  餌分散液
Ｆｓ、Ｆｗ  水流
【図１】
2017175993.tif 000003
【図２】
2017175993.tif 000004
【図３】
2017175993.tif 000005
【図４】
2017175993.tif 000006
【図５】
2017175993.tif 000007
【図６】
2017175993.tif 000008
【図７】
2017175993.tif 000009